(57)【要約】      （修正有）【課題】容器から小出しされた又は容器内に残っている計量された投与量の回数を指示する表示装置を提供する。【解決手段】ハウジング２００内に設けられた使用回数表示部材２６０であり、使用回数表示部材２６０は、表示装置によって完了した使用サイクルの数又は表示装置について残っている使用サイクルの回数を指示するユーザに見える使用回数指標を有している。表示部材２６０は、キャップ２２０とハウジング２００のベース部材５０との軸方向相対運動に応答してこれに対して横方向の回転運動を行うことができるようハウジング２００内に回転自在に設けられている。【選択図】図６
2010194328.tif 000002
【特許請求の範囲】
【請求項１】
容器から投与されたか、又は容器内に残っている薬物の投与の回数を表示するのに適した表示装置であって、該表示装置は：
複数の位置に増分的に移動可能な第１の表示部材と；
該第１の表示部材の所定の移動回数に応じて動くことが可能な第２の表示部材とを有し、
該第１と第２の表示部材のいずれか一方は数値表示を有し、該第１と第２の表示部材の他方は、少なくとも第１の色彩と、該第１の色彩とは異なる第２の色彩とから成る色彩表示を有し、該第１と第２の表示部材の該他方は、少なくとも第１と第２の表示位置の間で移動可能であり、該第１の色彩は該第１及び第２の表示部材の該他方が該第１の表示位置にあるときに利用者の目に見え、該第２の色彩は該第１及び第２の表示部材の該他方が該第２の表示位置にあるときに利用者の目に見え、且つ、該第１の色彩は、該第１及び第２の表示部材の該他方が第２の表示位置にあるときには、利用者の目に見えないようになされ、該第２の色彩は該第１及び第２の表示部材の該他方が第１の表示位置にあるときには、利用者の目に見えないようになされていることを特徴とする表示装置。
【請求項２】
該第１の表示部材は第１の軸の回りに回動可能であり、第２の表示部材は第２の軸の周りに回動可能であって、該第１の軸と該第２の軸は実質的に平行であることを特徴とする請求項１に記載の表示装置。
【請求項３】
該第１の軸と該第２の軸とが実質的に同軸であることを特徴とする請求項２に記載の表示装置。
【請求項４】
該第１の軸と該第２の軸とが間隔をあけられていることを特徴とする請求項２に記載の表示装置。
【請求項５】
該第１の表示部材は数値表示を有し、該第２の表示部材は色彩表示を有することを特徴とする請求項１に記載の表示装置。
【請求項６】
該数値及び色彩表示の中の一方は投与量表示を構成し、該数値及び色彩表示の中の他方は使用量表示を構成することを特徴とする請求項１に記載の表示装置。
【請求項７】
更に、ハウジング部材を有し、該第１及び第２の表示部材が該ハウジング部材に回転可能に取り付けられていることを特徴とする請求項１に記載の表示装置。
【請求項８】
更に、該容器と係合するようになされたアクチュエータを有し、該アクチュエータは該ハウジング部材に対して移動可能であり、該第１の表示部材を該複数の位置の間で動かすように該第１の表示部材と作用的に連結されたことを特徴とする請求項７に記載の表示装置。
【請求項９】
該アクチュエータはベース部材を有し、該ハウジング部材は該ベース部材に対して移動可能に接合されたキャップ部材を有していることを特徴とする請求項８に記載の表示装置。
【請求項１０】
該ハウジング部材は、該容器の底部に固定されるようになされたことを特徴とする請求項８に記載の表示装置。
【発明の詳細な説明】
【技術分野】
【０００１】
本発明は一般に、エアゾール容器から小出しされた又はエアゾール容器内に残っている計量された投薬量又は投与量の回数を指示する表示装置に関し、特に、エアゾール容器に取り付けられるようになった表示装置に関する。
【背景技術】
【０００２】
小出しされた計量済の投与量の回数を指示するため又は残っている投与量の回数を指示するための投与量表示装置を有するエアゾール式小出し容器が開発された。例えば、患者は、エーロゾルの状態で小出しされ吸入することにより患者に投与される薬剤を用いて治療が施される状況にある。一方法として、薬剤入りのエーロゾルを容器内に入れ、吸入器具又はブーツ形アクチュエータ（以下、「アクチュエータブーツ」と言う）を用いて計量又は測定された投与量の状態で小出しされる。かかる構成では、患者は、容器内に残っている計量された投与量の回数を知ることにより又は容器から既に小出しされた回数を知ることにより容器内に残っている計量された投与量の回数を確かめることができ、薬剤を必要とするときに容器が空であることを知らないでいることがないようにすることが重要である。かくして、吸入器具は、容器内に残っている投与量の回数又は容器から既に小出しされた投与量の回数のいずれかを正確に指示できることが重要な場合がある。
【０００３】
代表的には、従来型エアゾール容器は、本体及び薬剤を含むエーロゾルの計量された投与量を放出するよう本体に対して押し下げることができる弁棒を有している。一般に、容器には、所定回数分、一般に約２００回分の計量された投与量が入っており、したがって弁棒の押下げ回数及びかくしてこれと対応した小出しされた計量済の投与量の回数をカウントすることと容器内に残っている投与量の回数との間には極めて緊密な相関性を認めることができる。
【０００４】
使用にあたり、容器を代表的には、弁をハウジング内の支持ブロックに係合させた状態の吸入器具のハウジング内に入れる。ユーザは、容器をハウジングに対して動かすことにより弁棒及び内部弁を押し下げ、それにより計量された投与量を放出することにより薬剤を投与するが、計量された投与量は代表的には、ハウジングから延びるポート又はマウスピースを通ってユーザに投与される。投与量を投与した後、代表的にはばね押し式の弁棒が、容器を支持ブロックから押し離して再び容器をハウジングに対して動かす。このようにして、計量された薬剤の投与量が、ハウジングに対する容器の直線往復動のサイクルごとに投与される。
【特許文献１】米国特許第５，０１２，８０３号
【特許文献２】米国特許第４，４６０，４１２号
【発明の開示】
【発明が解決しようとする課題】
【０００５】
薬剤入り容器に取り付けられるアクチュエータブーツ又は他の装置の中には、ハウジングに対する容器の直線往復運動を表示装置の一方向又は単一サイクルの運動に変換する表示装置を有するものがあり、指示器は、容器の相対的充填度、容器内に残っている計量された投与量の回数又は既に投与された投与量の回数を識別する。指示器又は別個の表示装置を備えたこれらアクチュエータブーツは、一般に投与量の回数の追跡状態を保つことができるという利点があるが、改良の余地がある。例えば、この種の表示装置は、組み立てが困難で製造に費用のかかる構造の複雑な可動部品を有する場合がある。かかる装置は、割り出し又は嵌合部品の構成に起因して、計数上の誤差の影響を受けやすく、或いは比較的大きな又は多くの可動部品を収納する過度に広い空間をハウジング内に必要とする。他の表示装置は、吸入器具から小出しされている薬剤を含む空気流を妨げ又はこれを邪魔をする場合がある。変形例として、小出し量をカウントし又は記録する電気回路を用いる装置もある。しかしながら、かかる装置は、製造に比較的費用がかかり、一般に、種々の環境、例えば湿気の多い状況では損傷しやすい場合もある電源を必要とする。
【課題を解決するための手段】
【０００６】
概要を述べると、本発明は、容器から小出しされた又は容器内に残っている計量された投与量の回数を指示する表示装置に関する。この容器は、これから長手方向に延びる弁棒を有し、この弁棒は、閉鎖位置と開放位置との間で動くことができる。この容器は、弁棒を開放位置に動かすと、計量された投与量を小出しする。表示装置は、容器に取り付けられるようになったベース部材と、ベース部材に可動的に連結されたキャップ部材と、キャップ部材に回転自在に取り付けられた表示部材と、キャップ部材がベース部材に対して所定回数の軸方向運動を行うと、表示部材を一刻みの量回転させるようになった駆動部材とを有する。
【０００７】
好ましい実施形態では、キャップ部材は、軸方向経路に沿ってベース部材に対して動くことができる。表示部材は、複数の歯を有し、この表示部材は、ベース部材に対するキャップ部材の軸方向の運動方向に対して実質的に平行な軸線の回りに回転自在にキャップ部材に取り付けられている。駆動部材を含む駆動機構は、ベース部材に対するキャップ部材の軸方向運動によって定められる軸線に実質的に垂直な軸線の周りに回転自在にベース部材とキャップ部材のうち一方に取り付けられた爪車を有する。駆動部材は、爪車と同軸状に設けられ、爪が、キャップ部材及びベース部材のうち一方に取り付けられている。爪は、キャップ部材がベース部材に対して軸方向運動を行うために、爪車に選択的に係合し、爪車及び駆動部材を一刻みの量回転させる。駆動部材は、キャップ部材がベース部材に対して所定回数の軸方向運動を行うと、表示部材の複数の歯のうち少なくとも１つに選択的に係合し、表示部材を一刻みの量回転するようになっている。
【０００８】
別の特徴によれば、表示装置は、第１及び第２の表示部材を有し、第１及び第２の表示部材は各々、ベース部材に対するキャップ部材の軸方向の運動方向に実質的に平行な軸線の回りにキャップ部材に取り付けられている。第１の表示部材は、第１の表示部材が使用サイクルを完了すると（これは、表示装置及びこれに取り付けられた容器が完全に一回使用されたことを示す）、第２の表示部材に選択的に係合し、第２の表示部材を一刻みの量回転するようになっている。好ましい実施形態では、第１の表示部材は、容器から小出しされた又は容器内に残っている投与量の回数を指示する投与量指標を有し、第２の表示部材は、表示装置について完了した使用サイクルの回数、又は表示装置について残っている使用サイクルの回数を指示する使用回数指標を有している。
【０００９】
さらに別の特徴によれば、表示装置は、ベース部材に対するキャップ部材の軸方向の運動方向に対し実質的に平行な軸線の回りにキャップ部材に取り付けられた第１の表示部材及びベース部材に対するキャップ部材の軸方向の運動方向に対し実質的に垂直な軸線の回りにキャップ部材とベース部材のうち一方に取り付けられた第２の表示部材を有している。好ましい実施形態では、第１の表示部材と第２の表示部材の両方は、容器から小出しされた又は容器内に残っている投与量の回数を指示する投与量指標を有し、第２の表示部材は、ベース部材に対するキャップ部材の各軸方向運動に応答して一刻みの量回転し、第２の表示部材は、ベース部材に対するキャップ部材の所定回数の軸方向運動を行うと一刻みの量回転する。
【００１０】
別の特徴によれば、表示装置は、ベース部材に対するキャップ部材の軸方向の運動方向に対して実質的に平行な軸線の回りにキャップ部材に取り付けられた第１及び第２の表示部材と、ベース部材に対するキャップ部材の軸方向の運動方向に対して実質的に垂直な軸線の回りにキャップ部材に取り付けられた第３の表示部材とを有している。好ましい実施形態では、第１及び第３の表示部材は、投与量指標を有し、第２の表示部材は好ましくは、使用回数指標を有している。
【００１１】
さらに別の特徴によれば、表示装置は、駆動部材及び表示部材のうち一方に連結されたリセット部材を有している。リセット部材を回転させると、表示部材をベース部材に対するキャップ部材の軸方向運動とは無関係に、キャップ部材に対して動かすことができる。
【００１２】
本発明の別の特徴によれば、容器から小出しされた又は容器内に残っている計量された投与量の回数を指示する方法が提供される。この方法は、容器を可動的に支持するハウジングを準備する段階と、キャップ部材、ベース部材及びキャップ部材に回転自在に取り付けられた表示部材を有する表示装置を準備する段階とを有する。この方法はさらに、キャップ部材をベース部材に近づけて容器を長手方向軸線に沿って移動させ、それにより弁棒を、計量された投与量が放出される開放位置に動かす段階と、表示部材を、ベース部材に対するキャップ部材の運動に応答して動かす段階とを有する。
【００１３】
好ましい実施形態によれば、この方法は、キャップ部材をベース部材に近づける段階とキャップ部材をベース部材から遠ざける段階のうちいずれか一方を行うと、爪車を爪に係合させる段階と、表示部材を駆動部材に係合させて表示部材を回転させる段階とを更に有する。
【００１４】
さらに別の特徴によれば、容器から計量された投与量の薬剤を小出しするディスペンサーを組み立てる方法が提供される。この方法は、ハウジングを準備する工程と、容器をハウジング内に配置する工程と、表示装置を容器に取り付ける工程とを有する。
【００１５】
本発明は、他のエアゾール式小出し容器及びこれに用いられる表示装置に対して顕著な利点をもたらす。特に、表示装置は、別個の製造でき、これを必要に応じて、多種にわたる従来型エアゾール容器に取り付けることができ、この場合、容器又はハウジングに関して必要な設計変更は殆どないか、或いは全く無い。さらに、表示部材及び駆動機構を備えた表示装置は、製造及び組立が比較的容易な比較的少数で構造が簡単な機械部品で構成される。このようにすると、表示装置を一層頑丈に作ることができ、しかもユーザ側の種々の悪環境にさらされても損傷しにくい。加うるに、駆動機構及び表示部材は、容器から小出しされた又は容器内に残っている投与量の回数を指示する信頼性の高い表示装置を構成し、かかる表示装置は小出し装置の使用を邪魔しない比較的コンパクトな形態で作ることができる。
【００１６】
本発明の内容は更に別の目的及び利点と共に、添付の図面と関連して以下の詳細な説明を読むと最もよく理解できよう。
【発明を実施するための最良の形態】
【００１７】
図面を参照し、特に図３１及び図３２を参照すると、エアゾール式ディスペンサが、ハウジング２００又はアクチュエータブーツ及びこの中に設けられた容器１２を有するものとして示されている。ハウジングは、容器を受け入れるような形状になった長手方向に延びるキャビティ２０２を有している。ハウジングの頂部は全体が開口していて、容器を開口部２０４を通ってハウジング内に挿入して、容器の底端部１４がハウジングから突出して作動のためにユーザに露出される状態でハウジング内に取り付けることができるようになっている。
【００１８】
本明細書で用いる「長手方向」及び「軸方向」という用語は、ハウジングに対する容器の往復運動の方向やベース部材に対する表示装置のキャップ部材の方向を示すものとする。「頂（又は上）」、「底（又は下）」、「上方」及び「下方」という用語は、図示の吸入装置を見たときの方向を示すものとするが、容器は、その頂面がハウジングの底部に隣接して位置したり、またその逆の関係になるように逆さまにされることは理解されたい。さらに、ユーザは容器及びディスペンサを任意の数の位置で用いることができることは理解されるべきであり、かかる位置としては、図３１及び図３２に示す好ましい直立位置が挙げられるが、これには限定されない。
【００１９】
図３１及び図３２に示すように、井戸状の穴２１４を有する円筒形支持ブロック２１２が、ハウジングの底部２０６に形成されている。オリフィス２１０が、支持ブロックを貫通していて井戸状の穴の底部と連通している。一実施形態では、患者の口に挿入されるようになったマウスピース２０８が、オリフィス及び井戸状の穴と連通する排出ポート２１６を形成している。マウスピース２０８は、ハウジングから横方向に延びてマウスピースを患者の口の中に挿入しやすくしている。
【００２０】
容器１２は円筒形であり、その頂面１７にはハブ１６が設けられている。弁棒１８が、ハブから長手方向に延びている。弁棒は、容器から同軸状に延び、容器の弁棒内に設けられたばね（図示せず）によってこれから外方に付勢されている。容器１２は、弁棒１８を支持ブロックの井戸状の穴２１４に圧力嵌めすることによりハウジング内に取り付けられている。
【００２１】
好ましい実施形態では、容器１２は、弁棒１８を伸長閉鎖位置から押下げ開放位置に押し下げ又は動かすことにより容器から特定の計量された投与量で小出しされる加圧状態の薬剤を含むエーロゾルで満たされている。１回分の計量された投与量が、弁棒を長手方向に往復動させるたびに容器から小出しされる。
【００２２】
動作原理を説明すると、弁棒を開くには、容器１２を、弁棒及び容器の往復運動によって定められる長手方向軸線に沿ってハウジング２００内で往復運動させ、容器の底端部１４をハウジングに対して押し下げて、弁棒１８が支持ブロックによって井戸状穴内で支持されている時に弁棒１８を開放位置に動かす。弁棒を開放位置に動かすと、容器は、井戸状穴２１４及びオリフィス２１０を通って計量された投与量の薬剤を含むエーロゾルを小出しする。薬剤を含むエーロゾルを次に、自動発生空気流又は支援空気流によってマウスピースの排出ポート２１６を通って患者に送り出す。
【００２３】
他の送出しシステムでは、ハウジング及び容器のホルダーが、出力端部を備えた室を有する部品に取り付けられるようになっている。かかる種類の送出しシステムの例が、例えば１９９１年５月７日に発行された米国特許第５，０１２，８０３号及び１９８４年９月１１日に発行された米国特許第４，４６０，４１２号に示されており、これら２つの米国特許の内容を本明細書の一部を形成するものとしてここに引用する。（引用により本明細書の一部として組み込むというプラクティスを理由としては、米国特許のいずれにも明示又は黙示の実施許諾権が生じることはない。）これらの種類の送出しシステムでは、室を有する部品をハウジングのマウスピースを受け入れるように改造してもよく、或いはこれを容器を支持するホルダーに一体に連結してもよい。いずれの実施形態でも、エーロゾル中の薬剤の計量された投与量はまず最初に容器から室内に小出しされ、しかる後患者によって吸入される。
【００２４】
好ましい実施形態では、容器１２は、所定回数分の計量された投与量の薬剤を小出しするようになっている。例えば、従来型吸入器容器は一般に、約１００〜２００回分の計量された投与量を収容保持する。しかしながら、利用可能な投与量の範囲は潜在的に、例えば容器の容量及び（又は）投与量計量弁のサイズに応じて１回分という少ない投与量から５００回分以上という多い投与量まで様々であってよい。使用にあたり、患者が容器内に残っている計量された投与量の回数を知ることが重要な場合があり、したがって患者が薬剤を必要な場合に容器が空になっていることを知らないことがないようにする。
【００２５】
次に、全体的に図面を参照すると、投与量表示装置が示されている。表示装置１０は、容器から小出しされた又は容器内に残っている計量された投与量の回数を指示する。図１〜図３Ａ、図１０及び図１１の実施形態にそれぞれ示すように、表示装置１０，２００，５００は、ベース部材４０，５４０内に設けられたキャップ部材２０，２２０，５２０で構成された表示装置ハウジングを有している。ベース部材４０は、容器１２の底部に取り付けることができるように構成されている。図２、図６及び図１２〜図１７に示す第１の実施形態では、ベース部材は、凸状又は湾曲した底部５０又はフロアを有し、この底部５０は、凹状又は内側に湾曲した輪郭（図２参照）を有する容器の底端部１４内に受け入れられてこれと嵌合するような形状になっている。ベース部材４０は好ましくは、接着剤、両面テープ又はこれと類似した結合剤で容器の底部に結合される。図６及び図１０〜図１５に示すように、円周方向スカート部材９４が、ベース部分から上方に延びてキャビティ９６を形成している。
【００２６】
変形例として、図２５に示すように、ベース部材１４０は、底部１５０、下方に延びる（垂下した）円周方向スカート１５２及び上方に延びる円周方向スカート１５６を有している。垂下したスカート１５２は、容器の底端部を受け入れるような形状の凹部又はキャビティ１５４を形成している。ベース部材は、底部又はスカートのうち１又は２以上容器に結合することにより、或いは容器をキャビティ１５４内に圧力嵌めして容器と垂下したスカートとの間に締り嵌め関係を生じさせることにより容器に取り付けられる。上方に延びるスカート１５６及び底部は、下方キャビティ１５４の上に位置する上方キャビティ１５８を形成している。
【００２７】
図２９〜図３２に示す更に別の実施形態では、アダプタ部材９０が、接着、締り嵌め、スナップ嵌め又はねじ結合により上述のベース部材のうち１つに取り付けられている。アダプタ部材９０は好ましくは、円筒形の形態をしており、容器の底端部を受け入れるような形状の円周方向スカート９２を有している。この場合もまた、アダプタを接着、締り嵌め又はこれら両方により容器に取り付けるのがよい。内径が互いに異なるアダプタを揃えておいてモジュール式ベース部材を有する単一の表示装置を種々の外径を有する種々のエアゾール容器に取り付けることができるようにするのがよい。
【００２８】
変形例として、図５７に示すように、ベース部材１０４０は、凹部１１５４を形成する下方に延びる円周方向スカート１１５２を有している。スカート１１５２は、ベース部材１０４０に種々の内径を作る１又は２以上の段部１１５５又は肩を有している。このように、単一のベース部材１０４０を、種々の直径の容器に用いることができる。スカート１１５２に２つの内径部を形成するよう段部を１つしか示していないが、ベース部材は摩擦嵌めにより種々の容器を受け入れるような寸法の複数の種々の内径をもたらすよう追加の段部を有するように構成してもよいことは理解されるべきである。スカート１１５２もまた、複数の切欠き又はスリット１１５３を有するよう構成されており、かかる切欠きにより、薬剤又はエーロゾルが小出しされている領域にベース部材が密接して位置する実施形態では、ベース部材の周りの空気流を多くすることができる。
【００２９】
開示した容器及び表示装置、特にキャップ部材及び表示装置、特にキャップ部材及びベース部材は、好ましくは円形横断面を有するものとして示されているが、当業者であれば、任意のアダプタを含む容器及び表示装置を他の形状にしてもよいことは理解されるべきであり、かかる形状としては、矩形又は三角形横断面が挙げられるが、これらには限定されない。
【００３０】
図１、図１Ａ及び図１Ｂに最もよく示されているように、キャップ部材２０は、視認用窓３４，３９が設けられた頂部５２を有している。好ましくは、キャップ部材２０は円形であり、視認用窓は、キャップ部材の下に指示された表示部材の頂部に付けられた指標の上に位置するようキャップ部材の外周部に隣接して頂部に設けられている。視認用窓を、多種多様な形状で作ることができる。例えば、視認用窓３４を、図１に示すようにテーパを付けてもよく、或いは、図１Ａ及び図１Ｂに示すように同軸状の内側と外側の湾曲した境界５７，５８及び半径方向側方の境界５６によって境界づけられた弧状窓５９であってもよい。キャップ部材の頂部は好ましくは、ユーザの親指又はその他の指でつまむ又は掴むことができるパターンを形成する複数の隆起部分５４を有している。このようにすると、ユーザは、滑らないでキャップ部材をしっかりと押し下げることができる。当業者であれば分かるように、他のパターン又は掴みやすい表面、例えばローレットパターンをキャップ部材に施して表示装置を使いやすくしてもよい。
【００３１】
図４、図６、図３８及び図４４を参照すると、キャップ部材２０，２２０，１０２０，２０２０は、頂部５２，２５２，１０５２，２０５２から下方に延びる又は垂下した円周方向スカート９２，２９２，１０９２，２０９２を有している。スカートは好ましくは、ベース部材の上方の延びるスカートよりも直径が小さく、したがってキャップ部材のスカートはベース部材の上方に延びるスカート内に嵌まり込むようになっている。変形例として、ベース部材のスカートよりも直径の大きなスカートを持つようにキャップ部材を形成してベース部材のスカートがキャップ部材のスカートに嵌まり込むようにしてもよい。キャップ部材２０，２２０，１０５２，２０５２は、スナップ嵌めによりベース部材４０，１０４０，２０４０に可動状態で取り付けられている。
【００３２】
特に、図５、図６、図７、図９、図１０、図１６及び図４４に示すように、キャップ部材は、スカートの円周方向外面から延びる複数の係合部材２８，２２８を有している。キャップ部材をベース部材の凹部又はキャビティ９６内に軸方向に挿入してテーパした表面を有する係合部材２８，２２８がベース部材のスカートのリムを越えて摺動し、ついには係合部材がベース部材のスカートの円周方向内面に沿って形成された複数のポケット４３内に嵌まり込んでスナップロック嵌め状態が得られるようにする。特に、係合部材の上面は、ポケットの頂部を構成する係合面４５に係合する。このようにすると、キャップ部材は、ベース部材に対して軸方向又は長手方向の経路に沿って動くことができる。変形例として、ベース部材のリムを内方へ僅かに湾曲させて係合部材が内方に湾曲したリム部分に係合してキャップ部材がベース部材から分離しないようにしてもよい。
【００３３】
ベース部材４０に対するキャップ部材２０，２２０，１０２０，２０２０の軸方向運動は、係合部材が完全伸長位置でベース部材のポケットの頂部（又は、ベース部材のリム）と係合し且つキャップ部材のスカートの底部リム２１，２２１，１０２１，２０２１が例えば図１２〜図１５に示すようにストロークの下限のところで底部の上面に係合することにより制限又は拘束される。当業者であれば理解できるように、変形例として係合部材をベース部材のスカートに形成してキャップ部材のスカートに設けられたポケット又は開口部、或いはリム（又はこれに類似した突出部）に係合するようにしてもよい。
【００３４】
図６、図９、図１６及び図１７に示すように、ばね１００は、キャップ部材とベース部材との間に設けられている。ばねは好ましくは、キャップ部材の下方に延びるハブ部分３０，２３０（図４及び図６に示す）及びベース部材の上方に延びるハブ部分４４（図１０、図１６及び図１７に示す）内に設けられ、これらハブ部分は、入れ子状になる。変形例として、図２５に示すように、ばね３００は、キャップ部材とベース部材との間に設けられ、このばねは、コイルがキャップ部材のスカート３９２の円周方向内面に隣接して位置するようなサイズのものである。ばね１００，３００は、戻し機構として機能し、キャップ部材６０，２６０，３６０をベース部材内で上方に付勢してキャップ部材の係合部材２８，２２８がベース部材のポケットの上方部分に係合するようにする。図面には圧縮ばねが示されているが、皿座金形ばね、片持ばりばね、トーションばね、板ばね及び（又は）引張ばねも又、キャップ部材を上方に付勢してこれをベース部材に係合させるよう働くことは理解されるべきである。ばねは、金属又はプラスチック製であるのがよい。
【００３５】
図４、図５、図１６、図１７及び図４５に示すように、キャップ部材とベース部材との間で働く戻し機構は、キャップ部材から下方に延びる複数の弾性アーム部材４００，２４００を有している。キャップ部材をベース部材に向かって動かすと、アーム部材のうち１又は２以上が、ハブ部分４４の外側部分に沿って形成された傾斜した付勢面４０２に係合する。傾斜した付勢面は、キャップ部材がベース部材に向かって動くにつれて弾性アーム部材のうち１又は２以上を外方に付勢する。図４及び図５の実施形態に示すように、６本のアーム部材４００が、ハブ部分３０の周りに円周方向に配置されている。変形例として、図３９の実施形態に示すように、６本のアーム部材１４００が、ハブ１０３０の周りに“Ｘ”パターンで配置されていて、スペースを節約すると共にキャップ部材１０２０の下に空きスペースを別途作っている。これと対応した傾斜部又は傾斜した付勢面がベース部材１１４０に同様に設けられている。弾性アーム部材は、片持ばりばねとして働いて、ユーザがキャップ部材を離すと、キャップ部材をベース部材から押し離す。当業者には理解できるように、弾性アーム部材をベース部材上に形成してこれがキャップ部材に形成された傾斜面に係合するようにしてもよい。また、当業者には理解できるように、ばね及び弾性アーム部材を図１６及び図１７に示すように一緒に用いてもよく、或いは別個に用いてもよい。さらに、１又は２以上のアーム部材及び（又は）傾斜部を用いてもよく、この場合アーム部材及び（又は）傾斜部材の寸法形状は、キャップ部材とベース部材との間に一層広い空間が得られるよう設計変更される。
【００３６】
図４、図６及び図４４に示すように、キー部材３２，２３２又は心合せリブが、キャップ部材のハブ部分３０，２３０から半径方向に延びている。図１０に示すように、キー穴４７又はスロットが、ベース部材のハブ部分４４の半径方向に延びる部分に形成されている。このスロットは、ハブ部分に形成された開口部から半径方向に延びている。組立て中、キャップ部材のキー部材をベース部材のキー穴に嵌め込んでこれらが互いに回転しないようにする。
【００３７】
図４〜図９、図１２〜図１５、図３８、図４０及び図４４〜図４６の種々の実施形態を参照すると、投与量表示部材６０，２６０，１０６０，２０６０が、ベース部材に対するキャップ部材の軸方向運動に実質的に平行な軸線の周りでキャップ部材２０，２２０，１０２０，２０２０内に回転自在に設けられている。表示部材は全体として中央が開口しており、この表示部材は、キャップ部材の頂部の底面に沿って回転自在に摺動する上面を備えた頂部７６，２７６，１０７６，２０７６を有している。変形例として、表示部材をキャップ部材の外部に取り付けてもよく、この場合キャップ部材の頂部に付けられた指標を見るための視認用窓が表示部材に形成される。
【００３８】
図５、図６、図３８及び図４４の実施形態に示すように、表示部材６０，２６０，１０６０，２０６０は、頂部から下方に延びる円周方向スカート７４，２７４，１０７４，２０７４を有している。図５及び図８を参照すると、複数の突出部２６，２２６又は係合ハブ部材が、キャップ部材のスカートの円周方向内面から延びていて、表示部材のスカートの底部に形成されたリム６４，２６４に係合する。変形例として、表示部材は、キャップ部材に設けられた溝又はこれと類似した開口部に嵌まる係合部材又はリムを有していてもよい。このようにすると、表示部材はキャップ部材に、これらの相対的な軸方向運動を防止するよう固定されるが、表示部材はキャップ部材に対して回転することができる。表示部材は、これをキャップ部材内にスナップ嵌めすることにより取り付けられる。当業者には理解できるように、変形例として表示部材をキャップ部材のハブ部分（キー部材の一部を切除してある）又はキャップ部材に固定されたこれと同様な軸に回転自在に取り付けてもよい。
【００３９】
図２５及び図２６に示す更に別の変形実施形態では、プレート部材３８０が、表示部材３６０をキャップ部材の頂部の内面に当てた状態に保持し、この場合ばね３００はプレート部材３８０の底面に係合していて、プレート部材の頂部３９８をキャップ部材に押し付け、キャップ部材をベース部材から押し離している。表示部材３６０は、プレート部材の平らな外部とキャップ部材の底面との間に形成された凹部に嵌め込まれている。図２６を参照すると、駆動組立体は、軸３８４をプレート部材の下方に延びる壁３８８に設けられた開口部に差し込むことによりプレート部材３８０に取り付けられている。軸の一端に設けられた拡大部分３９６が、壁のうち１つに係合し、爪車３８２及び駆動部材３８６が軸の他端に取り付けられていて、それにより組立体が得られている。プレート部材の頂部が、キャップ部材に当接する。
【００４０】
図４〜図９、図４０〜図４６の実施形態に示すように、表示部材６０，２６０，１０６０，２０６０は、スカートの内周の周りに形成された複数の内方に似た歯６６，２６６，１０６６，２０６６を有している。図５、図６及び図４０に示すように、歯は好ましくは、これらの間に隙間１０６１が形成されるよう円周の一部に沿ってのみ形成されている。
【００４１】
変形例として、図２６の実施形態に示すように、表示部材３６０は、これに形成された開口部の内側リムの周りに半径方向内方に形成された複数の歯３６６を有している。なお、この表示部材は、スカートを備えていない比較的平らなリングとして形成されている。図２９に示す更に別の実施形態では、複数の歯４６６は、リング状の表示部材４６０から軸方向下方に延びている。
【００４２】
図５及び図４４〜図４６の実施形態に示すように、表示部材６０，２０６０は、スカート７４，２０７４の円周方向外面の周りに形成された複数の凹み６８，２０６８を有している。キャップ部材は、一対の上方に延びる弾性割出し部材２２，２０２２を有し、これら割出し部材は各々、表示部材に解除自在に係合してこれとの相対回転を防止するよう凹みのうちの１つに係合する端部を有している。凹み６８，２０６８相互間の角度的距離は、表示部材の複数の歯６６，２０６６相互間の角度的距離と実質的に同じである。このようにすると、割出し部材は隣合う歯相互間の距離によって定まる一刻みの量、表示部材を前進させるたびに次の凹みに選択的に係合する。図４６に示す実施形態では、凹みは、キャップ部材に対して表示部材２０６０を一方向にしか回転させることができないようにする爪歯として形成されている。
【００４３】
変形例として、図６並びに図３８及び図３９の実施形態に示すように、凹みと割出し部材は逆の関係になっており、即ち凹み２２４，１２２４は、キャップ部材のスカートの円周方向内面の周りに形成され、そして図６に示すように、割出し部材２７０が表示部材のスカートに形成された空所内で表示部材から下方に延び、或いは図３８に示すように、一対の割出し部材１２７０が、スカート１０７４の底縁に沿って設けられたリム部分１０７８に沿って形成された可撓性アームとして形成されている。図３８、図３９及び図４０に示す実施形態では、割出し部材１２７０と、好ましくは爪歯として形成されている凹み１２２４との相互作用は、表示部材をキャップ部材の作動相互間で定位置に保持することにより表示部材を割り出すと共に表示部材１０６０の逆回転を防止するよう働く。１又は２以上の割出し部材を、好ましくは爪歯として形成された複数の凹みに係合させれば、割出し部材又は凹みがキャップ部材又は表示部材のいずれに形成されているかどうかとは無関係に表示部材の回転運動を制御することができる。
【００４４】
図２６に示す更に別の変形実施形態では、プレート部材３８０は、弾性割出し部材３７０を有し、この割出し部材３７０は、表示部材の偶発的な回転を防止するよう表示部材に選択的に係合する複数の歯３６６のうち１つに係合する。変形例として、割出し部材がキャップ部材から延びていてもよい。
【００４５】
図１Ａ及び図１Ｂに示すように、数字又は色塗りの形態の投与量指標７２，１７２が、表示部材の頂面に設けられていて、キャップ部材の頂部に設けられた視認用窓３４，５９を通してユーザに見える。変形例として、図２４及び図２６の実施形態に示すように、数字０が好ましくは永続的なエッチングにより矩形の視認用窓３３４に隣接して設けられていて、視認用窓から見える指標の１０倍の値が示されるようになっている。１桁及び２桁の指標３７２が表示部材３６０の頂部に設けられていて、３桁の数字がユーザに指示されるようになっている。
【００４６】
図３Ａに示す更に別の変形実施形態では、視認用窓５３４は、キャップ部材の下方に延びる円周方向スカート５９２の上部に形成されている。指標は、窓から見えるよう表示部材のスカート５７４の円周方向外面に付けられている。この実施形態では、ベース部材のリム５４２は好ましくは、指標を遮られることなく見ることができると共に視認用窓がどこにあるかをユーザに知らせるために視認用窓５３４と整列して扇形に切り込まれている。
【００４７】
当業者であれば理解できるように、容器内に残っている又は容器から小出しされた投与量の回数を指示する他の指標として、種々の英数字、言葉、用語又はフレーズ（例えば、「一杯の」及び「空の」）、目盛り、格子、矢印、隆起部分、凹み、色塗り及び色分け、陰影等の印、或いはこれらの任意の組合せが挙げられるが、これらには限定されない。例えば、視認用窓に表示されたセグメント状色格子１７２は（例えば、図１Ｂに示すように）、容器が一杯であることを示す緑色から、内容量が中程度であることを示す黄色、そして最終的に容器が空であることを示す赤色に変わるようにしてもよい。また、指標を表示部材と一体に形成してもよく、或いは塗料、染料、エッチング、タコ印刷、箔押又は型押印刷、或いは粘着ラベルによって表示部材に付着させてもよい。数字の指標を用いる場合、数字を、０（又は初めとなる或る数）から利用可能な投与量の所定の数になってこの所定の数がユーザに表示されると容器が空であることが分かるようにするよう配置し、或いは逆に初めとなる所定の数から０（又は終りとなる或る数）になって、これが容器が空であることをユーザに知らせるように配置してもよい。
【００４８】
好ましい実施形態では、表示部材は、アクリルニトリルブタジエンスチレン（ＡＢＳ）で作られ、この材料は、指標を印刷し又は付着させるある別の方法を利用でき、かかる方法としては、タコ印刷及び箔押又は型押印刷が挙げられる。キャップ部材及びベース部材は好ましくは、例えばアセテル（Ａｃｅｔｅｌ）のような硬質プラスチック材料で作られる。
【００４９】
図５〜図９及び図１２〜図１８を参照すると、駆動機構が、駆動組立体を有するものとして示されている。駆動組立体は、軸８４に設けられた駆動部材８６に同軸状に取り付けられた爪車８２を有する。爪車、駆動部材及び軸を別々に製作するのがよく、この場合、爪車及び駆動部材を軸に取り付け、或いは３つ全ての部品を一体部品として一体成形してもよい。駆動組立体は好ましくは、例えばアセテル（Ａｃｅｔｅｌ）のような硬質プラスチック材料で作られる。
【００５０】
図３８及び図４２に示す変形実施形態では、駆動組立体は、駆動部材８６と爪車８２との間でこれらと同軸状に設けられた第２の投与量表示部材１８００を更に有している。表示部材１８００は、ホイールとして形づくられ、好ましくはその周面１８０２の周りに設けられた投与量指標を有する。好ましくは、指標は、０から９までの通し番号で構成される。
【００５１】
図４４に示す更に別の変形実施形態では、駆動組立体は、表示部材１８００と同軸状に設けられた爪車８２を有する。駆動部材８６は、爪車及び表示部材とは別個に作られ、表示部材１８００から軸方向に延びるカラー１０８２に形成された溝１８０１に受け入れられるような寸法の単一の歯８９を有している。駆動部材８６の歯８９は、カラーの溝１８０１内に受け入れられ、この歯８９をカラー、爪車及び表示部材に対して軸方向に動かすことができる。
【００５２】
爪車８２の周囲には複数（好ましくは１０個）の歯８８が形成されている。歯は各々、係合面８９及びテーパ面８７を有している。上述のように、駆動部材８６（これは爪車と一体に形成されているか、或いは別体としてこれに連結されているかどうかは問わない）は、軸８４又は駆動部材のカラーから半径方向に延びる単一の歯８９を有している。
【００５３】
図５、図６及び図４５に示す実施形態では、駆動組立体はキャップ部材に取り付けられており、その手段として、軸８４の互いに反対側の端部を下方に延びるハブ部分３６，２３６，２２３６に係合させて軸、爪車及び駆動部材がベース部材に対するキャップ部材の軸方向運動の方向及び表示部材の回転軸線に実質的に垂直な軸線の周りに回転するようにする。変形例として、駆動組立体をこれと同様な方法でベース部材に取り付けてもよい。
【００５４】
変形例として、図３８及び図３９の実施形態に示すように、軸８４は、単一のハブ１０３６又は可撓性のスナップエンクロージャリブ内に受け入れられている。この実施形態では、駆動組立体は、傾斜部１０８３を更に有し、この傾斜部は、駆動組立体の回転軸線の周りに形成された複数の半径方向に延びる歯１０８５まで傾斜している。大径の軸１０８４が、歯から外方に延びている。リセット部材１１０６が、掴む又はつまむことのできるホイール部分１１０７及びカラー１１０９を有し、このカラーは、キャップ部材のスカートに形成された横方向に向いた開口部１３０２内に受け入れられるように寸法決めされている。軸受指示体１３００が、カラーを指示するよう開口部の周囲の周りに形成されている。リセット部材１１０６は、カラー１１０９から軸方向に延びる４つの可撓性弾性フィンガ１３０４を更に有している。各フィンガ１３０４は、フィンガの端から半径方向内方に延びる係合部分１３０６を有している。係合部分は、駆動組立体に形成された歯１０８５のうち１つに係合するように形づくられている。突出部１３０８又はリブが、フィンガのうちの１つに、これから半径方向外方に延びるよう形成されている。突出部１３０８は、駆動部分として役立ち、図４０に示すように表示部材の歯相互間に形成された隙間１０６１に隣接して表示部材の底部に形成された下に延びる突出部１３１０に係合する。好ましくは、突出部１３１０は、隙間をまたぐ２つの歯相互間の角度的に中点に位置するよう位置決めされている。
【００５５】
図１２〜図１５に示すように、駆動機構は、可撓性ロッド又はフィンガとして示された爪部材４８を更に有し、この爪部材は、ベース部材の底部から上方に延びていて、爪車の歯のうちの１つに選択的に係合する。変形例として、爪車をキャップ部材に可動的に固定して容器の頂部に係合するようベース部材を貫通させてもよく、したがって容器に向かうキャップ部材の軸方向運動により、爪は以下に説明するように爪車に向かって移動してこれに設けられた歯のうちの１つに係合するようになる。これまた可撓性ロッド又はフィンガとして示されている逆止め部材２３８が、キャップ部材の頂部から下方に延び、爪車の歯８８のうちの別の１つに選択的に係合する。爪部材は変形例として、上述のように駆動組立体がベース部材に取り付けられている場合はキャップ部材から延びてもよい（及び逆止め部材がベース部材から延びる）ことは理解されるべきである。
【００５６】
使用にあたり、図１２〜図２１に示すように、ユーザはキャップ部材２２０を完全伸長位置（図１２参照）からベース部材に向かって押し下げてキャップ部材がストロークの下限でベース部材内で底に届き（図１４）、そして計量された投与量が容器から小出しされるまでベース部材が容器に軸方向荷重を及ぼすようにする。好ましい実施形態では、ばね１００（図６に示す）又はばねとして役立つ例えば弾性アーム部材のような変形例としての戻し機構の付勢力が、容器の計量弁内に設けられているばねの付勢力よりも小さく、したがってキャップ部材がベース部材内でまず最初に底に届き（この場合、容器はハウジング内で下方に移動している）ついには計量された投与量が小出しされるようにする。
【００５７】
図１２、図１３及び図１４を参照すると、キャップ部材２２０をベース部材４０に向かって押し下げると、爪４８は爪車の歯のうちの１つの係合面８９に選択的に係合して爪車を回転させる。それと同時に、爪車の歯のうちの１つのテーパ面８７は、逆止め部材２３８がストロークの下限の近くで次の歯に選択的に係合するまで逆止め部材２３８を外方に付勢する。次に、ユーザはキャップ部材を離し、しかるのちばね１００（図６に示す）又はこれと類似した戻し機構がキャップ部材２２０をベース部材４０から押し離し、ついには、係合部材が図１５に示すようにストロークの上限でベース部分に係合するようになる。ユーザがキャップ部材を離すと、容器は長手方向軸線に沿ってハウジング内で上方に付勢され、弁棒が容器内で閉鎖位置に移動するようになる。それと同時に、キャップ部材が離されてベース部材から遠ざかるに連れ、爪４８は爪車の歯のうちの１つのテーパ面８７によって外方に付勢される。というのは、逆止め部材２３８が爪車の逆方向の回転を防止してその一方向の回転を維持するからである。ストロークの上限では（図１５に示す）、爪４８は再び、爪車の歯のうちの１つと選択的に係合する位置に配置される。このように、爪車８２及びこれに連結された駆動部材８６（図１８〜図２１に示す）は、容器の作動及びこれに伴なう薬剤の放出のたびに一刻みの量お送り進められる。一刻みの量は、爪車の周囲に形成された歯の数で決まる。好ましい実施形態に示すように１０個の歯を備えている場合、爪車は、表示装置及び容器を１０回転させることにまる１回転し、換言すると、１回の作動ごとに１／１０回転することになる。当業者であれば、爪車の周囲に種々の数の歯を形成すれば爪車をまる１回転させるのに上記よりも多い又は少ない容器の軸方向の運動又は作動が必要になることは理解されよう。
【００５８】
変形例として、爪車の作動を逆にしてもよい。この実施形態では、爪は、下降ストロークの際爪車の歯のうちの１つのテーパ面によって外方に付勢される。ストロークの下限では、爪は付勢されて歯のうちの１つに係合する。患者がキャップ部材を離すと、ばね又はこれと均等な戻し機構がキャップ部材を長手方向軸線に沿ってベース部材内で上方に付勢して爪部材が歯のうちの１つに係合し、それにより爪車を一刻みの量回転するようにする。この実施形態では、逆止め部材は、下降ストロークの際爪車の回転位置を維持する。
【００５９】
図１８〜図２０、図３８及び図４４に示すように、駆動部材８６は、好ましくは単一の歯８９又はセグメントを有するものとして示されている。したがって、１０回目の作動ごとに、駆動部材８６が回転して歯が表示部材に形成された歯２６６のうち１つに選択的に係合して表示部材を一刻みの量回転させるようになる。一刻みの回転量は、隣り合う歯相互間の距離によって定められ、或いは歯の円ピッチとして定められる。このように、駆動部材は、キャップ部材がベース部材に対して所定回数の軸方向運動を行った後及びその際に、表示部材の歯のうちの少なくとも１つに選択的に係合して表示部材を一刻みの量回転させる。表示部材を回転させるのに必要な軸方向運動の所定回数は、爪車と駆動部材の減速比で決まり、この減速比は、爪車に形成された歯の数を駆動部材に形成された歯の数で割った値である。例えば、好ましい実施形態に示すように、爪車の歯が１０個、駆動部材の歯が１つであれば、表示部材の小刻みな運動が得られることになり、或いは１０回の軸方向運動を行うたびに表示部材が歯１個分送り進められるものとして定められる。これと同様に、駆動部材の歯が４個、爪車の歯が２０個であれば、上記所定回数は、５回の軸方向運動等に等しくなろう。歯数比が１：１であればその結果として、軸方向運動の所定回数は１回となり、この場合表示部材は軸方向運動を行うたびに動くことになる。
【００６０】
図１９を参照すると、表示部材２６０及び駆動部材８６は、ユーザにより初期作動又は使用前の状態で示されている。特に、駆動部材の歯は、表示部材の第１の歯２６６に隣接して位置している。爪車が１０個の歯を備えているこの実施形態では、歯８９が図２１に示すように表示部材の第１の歯２６６に係合するには１０回の作動が必要である。この時点において、表示部材は、軸方向運動の所定回数の数に等しい単一サイクルを完了しており、そのかかる単一サイクルの結果として、表示部材が小刻みに運動する。次に、このサイクルを繰り返して（再び所定回数の軸方向運動を実施することにより）再び表示部材の小刻みな運動が結果的に得られるようにする。好ましくは、図１Ａ、図３Ａ、図２４及び図２６に示すように、数字の指標（番号と点（・）を含む）を、表示部材の１回の小刻みな送り進めにつき１０回の軸方向運動を必要とする好ましい実施形態と相関するよう１０刻みで付ける。
【００６１】
減速比が与えられた爪車と駆動部材は、表示部材を送り進める構成が簡単であるが、信頼性の高い機構を提供する。特に、表示部材及び容器の作動ごとの送り進めが必要な場合よりも表示部材に設ける歯を少なして製造できる。製造を容易にするために、表示部材及び爪車の各々に設けるピッチをできるだけ粗くすることが望ましい。ただし、歯車は依然として歯の細かい歯車として定義される。しかしながら、表示部材が容器から薬剤を完全に使い切った状態に相当する１回転（単一サイクル）だけを行うことも本発明の範囲に属する。かくして、多数回分（約２００以上の回数）の投与量が容器内に入っている場合、爪車及び駆動部材は、比較的高い減速比を生じさせること、例えば、キャップ部材及び容器の２００回の直線往復運動が、表示部材の１回転以下に層とするようにすることが重要である。したがって、表示部材は粗い歯を設けて安価に製造できる。加うるに、比較的大きな駆動部材と相互作用する大きくて粗い歯は、これら部品の噛み合いの際の装置の精度を向上させるのに役立つ。加うるに、かかる機構及びこれに付随する減速比により、たとえ容器が比較的多数（約２００以上）の計量された投与量を収容していても、表示部材は、容器の使用寿命中、即ち、これが空になるまでに１回転だけをすることができる。この１回転は、容器が一杯であることを示す初期の読みから容器が空であることを示す最後の読みるでの投与量表示部材の運動量として定義される使用サイクルに相当している。当然のことながら、もし最初に少ない回数の投与量に設定されていれば、表示部材の回転量は、使用サイクルの完了の際にはまる１回転に足りない。
【００６２】
図３８及び図４４に示す変形実施形態では、視認用窓１０３４，２０３４は、指標をそれぞれ備えた第１及び第２の投与量表示部材１０６０，２０６０，１８００がこれらの窓から見えるよう十分に大きい。これら実施形態の使用にあたり、表示部材１８００は、爪車１０２０，２０２０が爪部材により駆動されるとアクチュエータとしてのベース部材１０４０，２０４０に対するキャップ部材１０２０，２０２０の作動ごとに回転する。表示部材１８００は、ベース部材に対するキャップ部材の軸方向の運動方向及び表示部材１０６０，２０６０の回転軸線に対して実質的に垂直な軸線の回りに回転する。表示部材１８００が「１」の指標を有し、爪車８２が１０個の歯を備えている好ましい実施形態では、表示部材１８００は、作動ごとに送り進められ、ユーザにかかる送り進めを知らせるよう目に見える指標を備えている。表示部材１８００が１サイクル又は１回転を完了すると、表示部材１０６０，２０６０は、駆動部材８６により一刻みの量送り進められ、表示部材１８００は、別のサイクルを開始する。このように、ユーザには、表示装置が作動するたびにこれがユーザに知らされると共にこれに伴って生じる取付け状態の容器からの投与量の小出しがユーザに知らされる。
【００６３】
図５及び図４０に示されているように、歯６６，１０６６が表示部材の周囲の周りに一部しか延びていない場合、表示部材６０，１０６０は、容器を作動するようキャップ部材を繰り返し動かしても、駆動部材が最後の歯に係合した後では送り進められない。これにより、容器が空であることを示す最後の指標を越えて容器が一杯であることを示す最初の指標に送り進めてユーザを混乱させることはできないようになる。
【００６４】
変形例として、図３３〜図３６に示すように、表示装置は、係止又はロック装置を有している。特に、ベース部材は、ベース部材の底部から上方に延びる支柱部材として形成された第１の係止部材７０２を有している。表示部材７６０は、表示部材の周囲に形成された複数の歯７７６のうちの１つの延長部として図３５に示す第２の係止部材７０４を有している。使用にあたり、キャップ部材を上述のようにベース部材に近付けたり遠ざけたりして表示部材を回転させる。この操作中、図３３及び図３４に示すように、第１の係止部材７０２を、複数の歯の直径方向内面の内側に配置してこれが図３３に示すように表示部材によって形成された凹部内に移動する際に歯に当たらないようにする。表示部材がまる１回転（これは好ましくは、容器を空にすることに相当している）を行った後、第２の係止部材７０４を図３５及び図３６に示すように第１の係止部材７０２上に回転させる。この位置では、キャップ部材をベース部材に向かって動かすことはできず、それにより、ユーザは、空になった容器をさらに中身を出したり又は空にしようとすることはできない。また、キャップ部材を動かすことができないので、これは容器が空になっているという二次的な指標となる。当業者には理解できるように、第１及び第２の係止部材の寸法形状は様々であってよい。例えば、支柱部材がベース部材の段付き表面に係合するようキャップ部材から延びていてもよい。
【００６５】
図２９及び図３０に示すように、リセットホイール１０６が、爪車８２及び駆動部材８６と同軸状に設けられている。リセットホイールの外周部１０８（これは、ユーザの親指で掴める複数の歯を有している）は、これがベース部材の底面５０を越えて延びると露出される。当業者には理解できるように、リセットホイールを露出させるには、これをユーザが接近できるよう表示装置の他の部分から延ばすのがよい。ユーザは、リセットホイール１０６を回して表示部材をその元の開始位置又は任意他の所望設定値まで手動で回転させ、この場合、キャップ部材をベース部材に対して動かす必要はない。このようにすると、表示部材を再利用して新しい容器に用いることができ、或いは表示装置を容器に取り付ける前に表示部材を適正な設定値に移動させることができる。このように、同一の表示装置を、様々な回数の計量された投与量の薬剤の入った種々の容器に用いることができる。キャップ部材に対する指示ホイールの運動中、キャップ部材及び表示装置のうちの一方の凹みに対する割出し部材の力に打ち勝って、割出し部材は、ユーザが表示部材を所望の設定値に回転させている時に繰り返し凹みに係合したりこれから離脱するようになる。この運動は、キャップ部材に対する表示部材の小刻みな送り進めを行うたびに生じる割出し部材の運動に似ている。
【００６６】
好ましくは、図２９及び図３０のリセットホイールは、歯が周囲全体に形成されている表示部材と併用され、したがって指示ホイールを０（又は一杯、例えば２００）位置に戻すのに歯の数個分（１又は２以上）しか動かす必要はないようになる。リセットホイールを用いる場合、上述の固定装置を用いても或いは用いなくてもよい。その理由は、リセットホイールを用いると、キャップ部材とベース部材の軸方向運動とは無関係に指示ホイールを移動させ又は回転させることができるからである。
【００６７】
図２８に示す変形実施形態では、リセットセレクター部材６０２が、軸の端に取り付けられており、ベース部材の側部又はスカート６９４に設けられた開口部６０４から露出している。リセットセレクター部材６０２は、軸に取り付けられている。セレクター部材６０２は、ねじ回し又はこれと類似した工具の頭を受け入れるようになったスロットを備え、ユーザはかかる工具を操作して、所望の指標が視認用窓を通して見えるようになるまで軸、同軸状に取り付けられた駆動部材及び表示部材を回すことができる。この特徴は、表示装置をリセットしたり、或いは表示装置を容器内に入っている投与量の適正な回数に合わせて初期設定するのに有用な場合がある。当業者であれば、開示したスロット以外の凹部及び（又は突出部をセレクター部材に露出するよう設けてもよく、それによりユーザはセレクター部材を掴み又は作動的に係合し、しかるのち表示部材を回すことができる。また、当業者には理解できるように、キャップ部材はベース部材に対して動いて開口部と位置が合った時にセレクター部材を露出させるので、軸の長手方向経路に沿う場所ならどこにでもベース部材の開口部を設けることができる。
【００６８】
図２７に示す更に別の変形実施形態では、セレクター窓８０６が、キャップ部材の頂部に形成されている。突出部又はこれに類似した掴むことのできる部材として形成されたリセットセレクター部材８０２が、表示部材を空の位置に回すと窓から露出する。一実施形態では、上述のように、複数の歯が、最初の歯と最後の歯との間に隙間を残すよう表示部材の周囲の一部だけに形成されている。かかる実施形態では、セレクター窓８０６は好ましくは、最初の歯が再び駆動部材に係合する位置にくるまでユーザが窓内でリセットセレクター部材８０２を動かすことができるような長さのものである。しかしながら、リセットセレクター部材はまた、周囲全体に歯が形成された表示部材にも使用できることが理解されるべきである。
【００６９】
変形実施形態では、例えば複数の切欠き又は歯として形成された複数のリセット部材又はこれに類似した掴むことのできる面を表示部材の周囲全体に形成してセレクター窓又は変形例として視認用窓から露出するようにしてもよい。かかる実施形態では、リセットセレクター部材をユーザの親指又はこれに似た部材で表示部材に係合させるだけでいつでも指示ホイールを回転させて異なる指標を露出させることができる。
【００７０】
図２４に示す更に別の実施形態では、キャップ部材の頂部には開口部又はセレクター窓９０６が設けられている。薄い工具、例えばペーパークリップを開口部に差し込んで弾性割出し部材３７０を押してこれを表示部材から離脱させる。次に、ユーザは視認用窓又はセレクター窓から親指等で表示部材を作動的に掴んで表示部材を所望の設定値に動かすことができる。
【００７１】
図４３に示す更に別の変形実施形態では、リセット部材をカラー１１０９が駆動組立体の軸１０８４に取り付けられた状態で駆動組立体に対して軸方向外方に引っ張ってこれを、可撓性フィンガ１３０４の係合部分１３０６が軸８４の周りに円周方向に位置する離脱位置から、可撓性フィンガの係合部分１３０６が傾斜部１０８３をずり上がるにつれ外方へ付勢され、しかるのち駆動組立体の軸の周りに形成された歯１０８５に係合するようになる係合リセット位置に動かす。次に、ユーザは、リセット部材１１０６をベース部材に対するキャップ部材の軸方向の運動方向に対して実質的に垂直な回転軸線の回りに回転させる。リセット部材を回すと、可撓性フィンガの突出部１３０８は、表示部材１０６０の突出部１３１０に係合して表示部材を一刻みの量回し、それにより隙間１０６１の他方の側に位置する最初の歯を駆動部材との係合が可能な位置に移動させ、かくして表示部材の歯相互間の隙間１０６１を橋渡しする。リセット部材１１０６を更に回すと、駆動部材の歯８９は表示部材の歯１０６６に係合し、そしてリセット部材を回すと１又は複数の表示部材を手動で所望のプリセット状態にすることができる。例えば、２００回分の投与量を有する容器用として２００回分の投与量を指示するよう表示部材をリセットできる。
【００７２】
好ましい実施形態では、駆動組立体の軸に形成された係合部分１３０６及び（又は）歯１０８５は、駆動部材を一方向にだけ回転させることができるよう構成されている。したがって、リセットホイールを反対方向に回転させても、駆動部材はその方向には回転しない。というのは、係合部分を備えた可撓性フィンガが、軸の周りに形成された歯の上を摺動するに過ぎないからである。この一方向の回転により、駆動部材が表示部材に係合してこれを逆方向に回転させるのを阻止し、この逆方向の回転は、爪車に係合する逆止め部材とキャップ部材と表示部材との間の一方向割出しインターフェースの両方によって阻止される。
【００７３】
リセット部材及び駆動組立体を取り付けるために、駆動組立体を垂直に設けて軸８４が可撓性スナップエンクロージャ１０３６内に受け入れられるようにする。駆動組立体がいったん定位置にスナップ嵌めされると、リセット部材１１０６をキャップ部材の開口部に通して、フィンガが最終的に離脱位置で軸８４の周りに位置するまで軸１０８４上に挿入する。このようにすると、キャップ部材の支持面１３００によって支持されたリセット部材は、駆動組立体を一段と支持する。
【００７４】
図５２〜図５５に最もよく示されている更に別の実施形態では、表示部材２０６０は、その周囲全体の周りに延びる複数の歯を有している。歯２０６７のうち少なくとも１つは、駆動部材の歯８９と整列する切除部分２０６９を有している。したがって、サイクルの終りでは、駆動部材は、駆動部材の１又は２以上の歯８９がこれが整列している歯の切除部分２０６９を通過するに過ぎないので、表示装置を繰り返し作動させてもそれにより表示部材が送り進められることはない離脱位置に位置する。しかしながら、この実施形態では、駆動部材８６は、表示部材１８００及び爪車８２に対して軸方向に動くことができる。
【００７５】
図４４、図４７及び図５２〜図５６に最もよく示されているように、リセット部材２１０６は、駆動シャフト２１０９に連結された掴むことができるホイール２１０７を有している。図４７の好ましい実施形態に示すように、駆動シャフトの端は、駆動部材８６の一端部に形成された歯を受け入れるように寸法決めされたスロット２３０８又は開口部に嵌まる複数の歯２３０６を有している。駆動部材は、リセットホイールのシャフトに取り付けられてその一端に形成された歯２３０６が駆動部材に形成されたスロット２３０８に嵌まるようになっている。次に、駆動部材を表示部材から延びるカラー１０８２の溝１８０１に挿入する。
【００７６】
使用にあたり、ユーザはリセット部材１２０６を軸方向外方に引張って駆動部材８６を、駆動部材の歯８９又は複数の歯が表示部材の歯の切除部分２０６９に整列する離脱位置から、駆動部材の歯が切除されていない歯の部分２０６７に係合する係合又はリセット位置に軸方向に動かす。リセット位置では、ユーザは、リセットホイール２１０７及びこれに連結された駆動部材８６を回して表示部材２０６０又は複数の表示部材をベース部材に対するキャップ部材の軸方向運動とは無関係に所望の設定値まで送り進める。離脱位置では、リセットホイールは、ベース部材の周囲に形成された一対のテーパフランジ相互間に引っ込められる。
【００７７】
図４４及び図５２〜図５６に示すように、表示部材２０６０は、表示部材の頂部から半径方向内方に延びるカバー部分２０８７を有している。カバー部分は、使用サイクルの終りで視認用窓と整列し、したがってカバー部分の下で回転し続けることができる表示部材１８００が見えないようになる。ユーザに容器が空であることを示すようカバー部分に指標、例えば番号「０」又は言葉「終」又は「空」を付けるのがよい。
【００７８】
図３８に示すように、表示装置は、使用回数表示部材１５００を更に有している。表示部材１５００は、リングとして形成され、投与量表示部材１０６０のスカート１０７４の周りに設けられ、ここで表示部材のリムフランジ１０７８とキャップ部材の頂部の底面との間に捕捉されている。このようにすると、使用回数表示部材１５００は、投与量表示部材１０６０によって支持された状態でこの周りに動くことができる。それにより、表示部材１５００は又、ベース部材に対するキャップ部材の軸方向の運動方向に実質的に平行な軸線の周りに回転自在に設けられている。リングとして形づくられている表示部材１５００は、その外方に向いた半径方向周囲の周りに形成された複数の歯１５０２を有している。表示部材１５００を上述したように送り進めると、表示部材１０６０の円周方向リム１０７８に沿って形成された可撓性フランジ１２７３は、キャップ部材の内側に形成された傾斜部１２７７によって半径方向内方に付勢され、表示部材に形成されている複数の歯１５０２のうちの少なくとも１つに係合し、それにより表示部材を隣り合う歯相互間の距離によって定まる一刻みの量送り進める。表示部材の周りに形成される歯の数は、表示装置の予定使用サイクル数に一致している。
【００７９】
傾斜部１２７７が１つだけ設けられている好ましい実施形態では、使用回数表示部材１５００を、表示装置の使用サイクル１回分に相当する投与量表示部材１０６０のまる１回転ごとに歯１個分送り進められる。例えば、表示装置を最初のカウントとして２００回分の投与量を示すよう初期設定するのがよい。表示装置を連続的に作動して投与量を小出しすると、指標を備えた表示部材１０６０，１８００は、これらが使用可能最終カウントとして０の投与量を表すまでカウントダウンするよう動作する。その時点において、駆動組立体は上述したように離脱位置に位置している。
【００８０】
リセット部材１１０６を用いて駆動部材を作動させ、それによって表示装置を別の使用サイクルを行うことができるようリセットすると、弾性フィンガ１２７３を備えた表示部材１０６０は付勢されて傾斜部１２７７に係合し、使用回数表示部材を回転させるようにする。このように、使用回数表示部材１５００は、連続した各使用サイクルの完了時に、回転し又は送り進められる。表示部材１５００の歯１５０２の数は、表示装置についての予定使用数に一致している。例えば、図３８及び図４１に示す実施形態では、表示部材１５００は、１２個の互いに異なる容器に対する表示装置の１２回の予定使用数に一致した１２個の歯を有している。上述したように、リセット部材は、任意所望の読みのところで指標をリセットするのに用いることができ、したがって１つの表示装置を、互いに異なる回数の投与量が入っている連続した容器に用いることができるようになっている。表示部材１５００は、表示部材の頂部から半径方向内方に延びる突出部として形成された停止部材１５０６を更に有している。停止部材１５０６は、最終の使用サイクルの完了時にキャップ部材の頂部から下方に延びる停止部材１５０８に係合する。この係合により、ユーザは、リセット部材及び駆動組立体により投与量表示部材１０６０を送り進めようとしてもこれを行うことができない。というのは、フィンガ１２７３が付勢されて、動かなくなっている使用回数表示部材の歯のうちの少なくとも１つに係合しているからである。このようにして、装置全体が動かなくなる。好ましい実施形態は１２回の使用サイクルを行うよう構成されているが、使用回数表示部材に全部でこれよりも多い又は少ない利用回数の使用サイクルに対応して多い数又は少ない数の歯を設けてもよいことは理解されるべきである。
【００８１】
図４１を参照すると、使用回数表示部材１５００は、表示部材の円周方向外面から半径方向外方に延びる突出部として形成された割出し部材１５１０を更に有している。割出し部材１５１０は、キャップ部材のスカートの円周方向内面の周りに形成された複数の歯１５１２に選択的に係合する。割出し部材１５１０及び歯１５１２は、ハウジング部材としてのキャップ部材１０２０に対する表示部材１５００の一方向の回転を可能にする爪車装置又はラチェットとして形成されている。好ましい実施形態では、割出し部材及び歯は、互いに協働して一方向動作をもたらすようテーパしている。
【００８２】
図３７及び図３８に示すように、複数の視認用窓１６００が、キャップ部材の頂部の外周部の周りに配置されている。通し番号として示されている複数の指標１６０２が、視認用窓に隣接してキャップ部材の頂部に取り付けられている。使用回数表示部材の上縁部１５１４は、視認用窓１６００を通して見ることができる指標を備え、したがってユーザは表示装置が現在どの使用サイクルで機能しているかを確かめることができるようになっている。例えば、図３７及び図３８に示す実施形態では、１２個の視認用窓１６００が、これに隣接して配置された番号１〜１２を備え、これらは、表示装置の寿命を定める１２回の使用サイクルに対応している。番号又は他の指標、例えば種々の色を、印刷、成形又は上述した技術のうち任意他のものを用いることによりキャップ部材に施すのがよい。変形例として、単一の視認用窓を設けて表示部材を露出するようにしてもよく、この場合指標が、その頂面又は上縁部１５１４に付けるのがよく、或いは窓がキャップ部材の側部に設けられていれば、その円周方向外面に沿って付けてもよい。
【００８３】
図４４、図４５及び図４９〜図５１に示す実施形態では、使用回数表示部材２５００は、開口部２５２１を備えたハブ２５２０を有し、このハブは、キャップ部材２０２０の頂部の内面から下方に延びる支柱２５２２に回転自在に取り付けられている。このようにして、使用回数表示部材２５００は、投与量表示部材２０６０の回転軸線から間隔を置いた状態でこれに実質的に平行な軸線の周りに回転自在にキャップ部材２０２０に取り付けられる。投与量表示部材の回転軸線はまた、ベース部材に対するキャップ部材の軸方向運動の方向に実質的に平行である。
【００８４】
表示部材２５００は、歯部２５２０の周りに形成されていて、リブ２５２６が一体に連結されたリング２５２４及び底面２５２８を有している。表示部材２５００は、リングの内周部の周りに形成された複数の内方且つ半径方向に延びる歯２５１４及びリングの外周部の周りで表示部材の底面に形成された複数の外方且つ半径方向に延びる歯２５０２を有している。両方の複数の歯は、表示部材２５００の一方向回転だけを可能にする爪歯として形成されている。
【００８５】
図４６を参照すると、係合部材２５７３は、表示部材２０６０から延びていて、この係合部材は、投与量表示部材２０６０が１サイクルを完全に終わると、爪歯２５０２のうち１つの係合面に係合する。係合部材２５７３が歯２５０２のうちの１つの係合面に係合すると、表示部材は、一刻みの量回転する。
【００８６】
図５１を参照すると、割出し部材２５７７が、支柱２５２２に対して平行且つこれから間隔を置いた関係をなしてキャップ部材２０２０から下方に延びている。割出し部材２５７７は、ハブ２５２０とリング２５２４との間のスペース内に設けられ、リングの内周部の周りに形成された内歯２５１４に選択的に係合する。この場合もまた、割出し部材２５７７及び歯２５１４は好ましくは、キャップ部材２０２０に対する使用回数表示部材２５００の一方向回転だけを可能にするように形づくられている。内歯２５１４及び外歯２５０２の数とこれら相互間の角度間隔は、係合部材２５７３と外歯２５０２のうちの１つとの係合により表示部材２５００の送り進めによって割出し部材２５７７がリングの内周部に沿って歯２５１４の１個分さらに送り進められるよう相互に対応している。表示装置についての所定の使用回数は、リングの内周部の周りに形成された歯の数に一致している。最後の使用サイクルの完了後、割出し部材２５７７をリブ２５２６に係合させ、このリブは、停止部材として働き、これにより表示部材はそれ以上回転したり送り進められることはない。それと同時に、係合部材２５７３をリングの外周部の周りに形成された歯２５０２のうちの１つに係合させ、表示部材もまた送り進めることができないようにする。このようにすると、表示装置は動かなくなる。この場合もまた、表示装置は所定数の内歯及び外歯を備えるのがよく、かかる所定数は、表示装置についての所定の使用サイクルの数に一致している。
【００８７】
好ましくはドーム状の表示部材リングの上面２５２８は、表示装置について完了した又は残っている使用サイクルの回数を指示する使用回数指標を備えている。使用回数指標は、図４４に示すようにキャップ部材に設けられた視認用窓２６００を通してユーザに見える。この場合もまた、使用回数指標は、種々の英数字、色塗り又は上述した他の手段のうち任意の形態をしているのがよい。
【００８８】
本発明を好ましい実施形態に関して説明したが、当業者であれば、本発明の精神及び範囲から逸脱しないで形態及び細部に関する変形例を想到できよう。したがって、上記の詳細な説明は、本発明を限定するものではなく本発明の例示として解されるべきであり、本発明の範囲は、請求の範囲の記載及びその均等範囲により定められる。
【図面の簡単な説明】
【００８９】
【図１】視認用窓を備えた表示装置の平面図である。
【図１Ａ】指標を見えるようにする視認用窓の変形実施形態を示す表示装置の平面図である。
【図１Ｂ】指標の変形実施形態を示す表示装置の平面図である。
【図２】断面図で示された容器の頂部に取り付けられている表示装置の側面図である。
【図３】視認用窓がキャップ部材の頂部に設けられている表示装置を上から見た斜視図である。
【図３Ａ】視認用窓がキャップ部材の側部に沿って設けられた表示装置を上から見た斜視図である。
【図４】表示部材が収納されているキャップ部材を下から見た斜視図である。
【図５】第４図に示すキャップ部材及び表示部材の分解斜視図である。
【図６】ベース部材、キャップ部材、表示部材、爪車、駆動部材及びばねを有する表示装置の変形実施形態の分解斜視図である。
【図７】図６のキャップ部材及び表示部材を下から見た斜視図であり、表示部材がキャップ部材に収納されている状態を示す図である。
【図８】図７の表示部材及びキャップ部材の拡大部分図であり、表示部材とキャップ部材の係合状態を示す図である。
【図９】図６に示すキャップ部材、表示部材、爪車、駆動部材及びばねの下から見た組み立て斜視図である。
【図１０】ベース部材恋人キャップ部材の分解斜視図であり、駆動機構及び表示部材がキャップ部材の中に設けられている状態を示す図である。
【図１１】図９に示す表示装置の組み立て斜視図である。
【図１２】図１１の１２−１２線に沿う表示装置の断面図であり、ユーザが軸方向の力を及ぼす前に、キャップ部材がベース部材に対して完全伸長位置にある状態を示す図である。
【図１３】図１２に類似した表示装置の断面図であるが、キャップ部材が、方向を示す矢印によって指示されているようにストロークの中間位置でベース部材に向かって移動している状態で示されている図である。
【図１４】図１２に類似した表示装置の断面図であり、キャップ部材が、方向を示す矢印によって心されているようにストロークの下限に達した状態を示す図である。
【図１５】図１２に類似した表示装置の断面図であり、キャップ部材を、これが方向を示す矢印によって支持されているようにベース部材に対して完全伸長位置に戻ったときの状態で示す図である。
【図１６】表示装置の中間部のところにおけるその断面図であり、ベース部材に形成されたポケット内に収納された係合部材を示す図である。
【図１７】表示装置の中間部のところにおけるその断面図であり、キャップ部材について別の戻し機構を示す図である。
【図１８】表示装置及び容器の最初の作動又は操作前における図９の組立体（ばねが設けられていない）を初期設定値で示す底面図である。
【図１９】図１８の１９−１９線矢視断面図である。
【図２０】爪車及び駆動部材が所定回数の作動に相当するまる１回転を行った後の図９の組立体（ばねが設けられていない）の底面図である。
【図２１】図２０の２１−２１線矢視断面図である。
【図２２】キャップ部材及び表示部材の拡大部分底面図であり、表示部材がキャップ部材に形成された凹みに係合する割出し部材を有している状態を示す図である。
【図２３】表示装置の変形実施形態の側面図である。
【図２４】図２３に示す表示装置の平面図である。
【図２５】表示装置の図２４の２５−２５線矢視断面図である。
【図２６】表示装置の図２３の２６−２６線矢視断面図である。
【図２７】リセット装置を備えた表示装置の斜視図である。
【図２８】リセット装置の変形実施形態を備えた表示装置の斜視図である。
【図２９】リセット部材の変形実施形態及びアダプタを備えた表示装置の変形実施形態の分解図である。
【図３０】図２９に示す表示装置及びアダプタの下から見た斜視図である。
【図３１】断面で示されたディスペンサーハウジング内に支持された容器の底部に取り付けられているアダプタ及び表示装置の分解側面図である。
【図３２】断面で示されたディスペンサーハウジング内に支持された容器の底部に取り付けられているアダプタ及び表示装置の側面図である。
【図３３】離脱位置にある表示部材及び係止部材の側面図である。
【図３４】図３３に示す表示部材及び係止部材の底面図である。
【図３５】係合位置にある表示部材及び係止部材の側面図である。
【図３６】図３５に示す表示部材及び係止部材の底面図である。
【図３７】投与量指標を備えた少なくとも１つの表示部材及び使用回数指標を備えた表示部材を有する表示装置の変形実施形態の斜視図である。
【図３８】図３７に示す表示装置の分解斜視図である。
【図３９】図３８に示すキャップ部材を下から見た斜視図である。
【図４０】図３８に示す投与量表示部材を下から見た斜視図である。
【図４１】図３８に示す使用回数表示部材を上から見た斜視図である。
【図４２】図３８に示す駆動組立体及び投与量表示部材の斜視図である。
【図４３】図３８に示す表示装置内に示されたリセット部材の斜視図である。
【図４４】投与量指標を備えた表示部材及び使用回数指標を備えた表示部材を有する表示装置の変形実施形態の分解斜視図である。
【図４５】図４４に示すキャップ部材を下から見た斜視図であり、使用回数表示部材がキャップ部材の下に取り付けられると共に投与量表示部材がキャップ部材から露出している状態を示す図である。
【図４６】図４４に示す投与量表示部材を下から見た斜視図である。
【図４７】図４４に示すリセット組立体の斜視図である。
【図４８】図４４に示す駆動部材の斜視図である。
【図４９】図４４に示す使用回数表示部材を下から見た斜視図である。
【図５０】図４４に示す使用回数表示部材を上から見た斜視図である。
【図５１】図４４に示すキャップ部材を下から見た斜視図である。
【図５２】図４４に示すリセット部材の切除斜視図であり、駆動部材が離脱位置にある状態で示す図である。
【図５３】図４４に示すリセット部材の切除斜視図であり、駆動部材が係合リセット位置にある状態で示す図である。
【図５４】第１及び第２の投与量表示部材の側面図であり、リセット部材及び駆動部材が離脱位置で示されている図である。
【図５５】第１及び第２の投与量表示部材の側面図であり、リセット部材及び駆動部材が係合リセット位置で示されている図である。
【図５６】第１及び第２の投与量表示部材、使用回数表示部材及び駆動組立体を上から見た斜視図である。
【図５７】図３８に示すベース部材を下から見た斜視図である。
【図１】
2010194328.tif 000003
【図１Ａ】
2010194328.tif 000004
【図１Ｂ】
2010194328.tif 000005
【図２】
2010194328.tif 000006
【図３】
2010194328.tif 000007
【図３Ａ】
2010194328.tif 000008
【図４】
2010194328.tif 000009
【図５】
2010194328.tif 000010
【図６】
2010194328.tif 000011
【図７】
2010194328.tif 000012
【図８】
2010194328.tif 000013
【図９】
2010194328.tif 000014
【図１０】
2010194328.tif 000015
【図１１】
2010194328.tif 000016
【図１２】
2010194328.tif 000017
【図１３】
2010194328.tif 000018
【図１４】
2010194328.tif 000019
【図１５】
2010194328.tif 000020
【図１６】
2010194328.tif 000021
【図１７】
2010194328.tif 000022
【図１８】
2010194328.tif 000023
【図１９】
2010194328.tif 000024
【図２０】
2010194328.tif 000025
【図２１】
2010194328.tif 000026
【図２２】
2010194328.tif 000027
【図２３】
2010194328.tif 000028
【図２４】
2010194328.tif 000029
【図２５】
2010194328.tif 000030
【図２６】
2010194328.tif 000031
【図２７】
2010194328.tif 000032
【図２８】
2010194328.tif 000033
【図２９】
2010194328.tif 000034
【図３０】
2010194328.tif 000035
【図３１】
2010194328.tif 000036
【図３２】
2010194328.tif 000037
【図３３】
2010194328.tif 000038
【図３４】
2010194328.tif 000039
【図３５】
2010194328.tif 000040
【図３６】
2010194328.tif 000041
【図３７】
2010194328.tif 000042
【図３８】
2010194328.tif 000043
【図３９】
2010194328.tif 000044
【図４０】
2010194328.tif 000045
【図４１】
2010194328.tif 000046
【図４３】
2010194328.tif 000047
【図４４】
2010194328.tif 000048
【図４５】
2010194328.tif 000049
【図４６】
2010194328.tif 000050
【図４７】
2010194328.tif 000051
【図４８】
2010194328.tif 000052
【図４９】
2010194328.tif 000053
【図５０】
2010194328.tif 000054
【図５１】
2010194328.tif 000055
【図５２】
2010194328.tif 000056
【図５３】
2010194328.tif 000057
【図５４】
2010194328.tif 000058
【図５５】
2010194328.tif 000059
【図５６】
2010194328.tif 000060
【図５７】
2010194328.tif 000061
【図４２】
2010194328.tif 000062
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
容器から投与されたか、又は容器内に残っている薬物の投与の回数を表示するのに適した表示装置であって、該表示装置は：
複数の位置に増分的に移動可能な第１の表示部材と；
該第１の表示部材の所定の移動回数に応じて動くことが可能な第２の表示部材とを有し、
該第１と第２の表示部材のいずれか一方は数値表示を有し、該第１と第２の表示部材の他方は、少なくとも第１の色彩と、該第１の色彩とは異なる第２の色彩とから成る色彩表示を有し、該第１と第２の表示部材の該他方は、少なくとも第１と第２の表示位置の間で移動可能であり、該第１の色彩は該第１及び第２の表示部材の該他方が該第１の表示位置にあるときに利用者の目に見え、該第２の色彩は該第１及び第２の表示部材の該他方が該第２の表示位置にあるときに利用者の目に見え、且つ、該第１の色彩は、該第１及び第２の表示部材の該他方が第２の表示位置にあるときには、利用者の目に見えないようになされ、該第２の色彩は該第１及び第２の表示部材の該他方が第１の表示位置にあるときには、利用者の目に見えないようになされていることを特徴とする表示装置。